Podtech/llm-jp-corpus-v4-ja_patent huggingface dataset:
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
二重特異性一本鎖抗体構築物を含む薬学的組成物であって、該二重特異性一本鎖抗体構築物が、ヒトCD3およびヒトCD19に特異的な結合ドメインを含み、対応する可変重鎖領域(VH)および対応する可変軽鎖領域(VL)がN末端からC末端まで以下の順に配列されている、薬学的組成物：
VH(CD19)-VL(CD19)-VH(CD3)-VL(CD3)、
VH(CD3)-VL(CD3)-VH(CD19)-VL(CD19)、または
VH(CD3)-VL(CD3)-VL(CD19)-VH(CD19)。
【請求項２】
VH領域が、アミノ酸配列：SEQ ID NO：54または77を含む少なくとも1つのCDR3領域を含む、請求項1記載の薬学的組成物。
【請求項３】
VH領域が、アミノ酸配列：SEQ ID NO：53または76を含む少なくとも1つのCDR2領域を含む、請求項1記載の薬学的組成物。
【請求項４】
VH領域が、アミノ酸配列：SEQ ID NO：52または75を含む少なくとも1つのCDR1領域を含む、請求項1記載の薬学的組成物。
【請求項５】
VL領域が、アミノ酸配列：SEQ ID NO：57または74を含む少なくとも1つのCDR3領域を含む、請求項1から4のいずれか一項記載の薬学的組成物。
【請求項６】
VL領域が、アミノ酸配列：SEQ ID NO：56または73を含む少なくとも1つのCDR2領域を含む、請求項1から4のいずれか一項記載の薬学的組成物。
【請求項７】
VL領域が、アミノ酸配列：SEQ ID NO：55または72を含む少なくとも1つのCDR1領域を含む、請求項1から4のいずれか一項記載の薬学的組成物。
【請求項８】
二重特異性一本鎖抗体構築物が、以下からなる群より選択されるアミノ酸配列を含む、請求項1から7のいずれか一項記載の薬学的組成物：
(a)SEQ ID NO：2、10または14記載のアミノ酸配列；
(b)SEQ ID NO：1、9または13記載の核酸配列によりコードされるアミノ酸配列；
(c)(b)の相補的核酸配列にストリンジェントな条件下でハイブリダイズする核酸配列によりコードされるアミノ酸配列；および
(d)遺伝暗号の結果として(b)のヌクレオチド配列に対して縮重である核酸配列によりコードされるアミノ酸配列。
【請求項９】
可変ドメインが追加のリンカー配列により連結される、請求項1から8のいずれか一項記載の薬学的組成物。
【請求項１０】
リンカー配列が、アミノ酸配列（Gly-Gly-Gly-Gly-Ser）1-xを特徴とする、請求項9記載の薬学的組成物。
【請求項１１】
請求項1から10のいずれか一項に定義されている二重特異性一本鎖抗体構築物をコードする核酸配列を含む、薬学的組成物。
【請求項１２】
請求項11に定義されている核酸配列を含むベクターを含む薬学的組成物。
【請求項１３】
ベクターが、請求項11に定義された核酸配列に機能的に連結されている制御配列をさらに含む、請求項12記載の薬学的組成物。
【請求項１４】
ベクターが発現ベクターである、請求項12または13記載の薬学的組成物。
【請求項１５】
請求項12から14のいずれか一項に定義されたベクターで形質転換またはトランスフェクションされた宿主を含む、薬学的組成物。
【請求項１６】
免疫エフェクター細胞に対して活性化シグナルを与える能力があるタンパク性化合物をさらに含む、請求項1から15のいずれか一項記載の薬学的組成物。
【請求項１７】
請求項1から16のいずれか一項記載の薬学的組成物を産生するためのプロセスであって、該プロセスが、請求項1から10のいずれか一項に定義されている二重特異性一本鎖抗体構築物の発現を可能にする条件下で、請求項15に定義された宿主を培養する段階、および培養物から産生された二重特異性一本鎖抗体構築物を回収する段階を含む、プロセス。
【請求項１８】
増殖性疾患、微小残存癌、腫瘍性疾患、炎症性疾患、免疫不全、自己免疫疾患、感染症、ウイルス性疾患、アレルギー反応、寄生虫性反応、移植片対宿主病、宿主対移植片病、もしくはB細胞悪性腫瘍の予防、処置または改善のための薬学的組成物を調製するための、請求項1から10のいずれか一項に定義されている二重特異性一本鎖抗体構築物、請求項11に定義されている核酸配列、請求項12から14のいずれか一項に定義されているベクター、および/または請求項15に定義されている宿主の使用であって、該薬学的組成物が、任意で、免疫エフェクター細胞に対して活性化シグナルを提供する能力があるタンパク性化合物をさらに含む、使用。
【請求項１９】
腫瘍性疾患がリンパ腫、B細胞白血病またはホジキンリンパ腫からなる群より選択される、請求項18記載の使用。
【請求項２０】
B細胞の枯渇のための薬学的組成物を調製するための、請求項1から10のいずれか一項に定義されている二重特異性一本鎖抗体構築物、請求項11に定義されている核酸配列、請求項12から14のいずれか一項に定義されているベクター、および/または請求項15に定義されている宿主の使用。
【請求項２１】
B細胞悪性腫瘍が非ホジキンリンパ腫である、請求項18記載の使用。
【請求項２２】
自己免疫疾患が慢性関節リウマチである、請求項18記載の使用。
【請求項２３】
請求項1から10のいずれか一項に定義されている二重特異性一本鎖抗体構築物、請求項11に定義されている核酸配列、請求項12から14のいずれか一項に定義されているベクター、および/または請求項15に定義されている宿主を含むキット。
【請求項２４】
二重特異性一本鎖抗体構築物がHisタグを含む、請求項1〜16記載の薬学的組成物。
【請求項２５】
二重特異性一本鎖抗体構築物がHisタグを含む、請求項17記載のプロセス。
【請求項２６】
二重特異性一本鎖抗体構築物がHisタグを含む、請求項18〜22記載の使用。
【請求項２７】
二重特異性一本鎖抗体構築物がHisタグを含む、請求項23記載のキット。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
ポップアップ状に積み重ねられた衛生紙の束を内部より取り出すための開口部（Ｐ）を備える直方体形状の容器において、切り込み線（Ｙ）と折線（Ｚ）で構成される開口部（Ｐ）の切り込み線（Ｙ）
が、容器の１面（Ｍ）上の点（Ａ）及び点（Ｂ）と、当該１面（Ｍ）に連なる端側面（Ｎ）上の点（Ｃ）及び点（Ｄ）において、点（Ａ）よりはじまり点（Ｂ）、また点 （Ｃ）、また点（Ｄ）の順に通過し、再び点（Ａ）に交差することなく戻る線（Ｘ）に沿って、点（Ｂ）より点（Ａ）迄構成され、また折線（Ｚ）が点（Ａ）から始まり点（Ｂ）に至る辺
（ＡＢ）であることで、開口部（Ｐ）が折線（Ｚ）を回転軸として回転する開閉可能な蓋（Ｑ）を備える開口部であることを特徴とする衛生紙の収納容器。
【請求項２】
請求項１に記載の収納容器がシートが重ねあわせられる事で作られている容器であり、且つ当該容器の端側面が、上面から下面に向けて垂直に延びる上フラップと、下面から上面に向けて垂直に延びる下フラップと、また当該２つのフラップの更に内側に、左右の長側面からそれぞれ延びるフラップとで構成される容器である場合に、開口部（Ｐ）を構成する切り込み線（Ｙ）が、当該端側面において、前記シートが重ねられていない領域に配置される、又は前記左右の長側面から延びるフラップと重ならない部分に配置されることを特徴とする衛生紙の収納容器。
【請求項３】
請求項１あるいは請求項２に記載の衛生紙の収納容器において、開口部（Ｐ）とは異なる新たな開口部（Ｑ）が容器の上面に設けられていることを特徴とする衛生紙の収納容器。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
配列番号５０、配列番号５１、配列番号５２、配列番号５３、配列番号５４、配列番号５５及び配列番号５６からなる群から選択されるプローブ。
【請求項２】
ａ）試験サンプルを増幅試薬と接触させて反応混合物を形成するステップ、
ｂ）前記反応混合物を増幅条件下に置いて増幅産物を形成するステップ、
ｃ）増幅産物と配列番号５０、配列番号５１、配列番号５２、配列番号５３、配列番号５４、配列番号５５及び配列番号５６からなる群から選択されるプローブとの間でハイブリッドを形成するステップ、及び
ｄ）前記ハイブリッドを試験サンプル中のＨＩＶ−１の存在の指標として検出するステップ
を含むことを特徴とする試験サンプル中のＨＩＶ−１の存在の検出方法。
【請求項３】
反応混合物が増幅条件下に置かれている間にハイブリッドが形成される、請求項２に記載の方法。
【請求項４】
反応混合物が配列番号６６の配列を更に含む、請求項３に記載の方法。
【請求項５】
増幅試薬が配列番号２８の配列を含む、請求項２に記載の方法。
【請求項６】
プローブが配列番号５０、配列番号５１、配列番号５２及び配列番号５３からなる群から選択され、さらに、増幅試薬が配列番号２８及び配列番号２９、配列番号２８及び配列番号３０、配列番号２８及び配列番号３２、配列番号２８及び配列番号３３、配列番号３８及び配列番号２９、並びに配列番号３８及び配列番号３０からなる群より選択されるプライマーセットを含む、請求項２に記載の方法。
【請求項７】
プローブが配列番号５４の配列を含み、さらに、増幅試薬が配列番号２８及び配列番号３２、配列番号２８及び配列番号３３、配列番号３４及び配列番号３５、並びに配列番号４及び配列番号３３からなる群より選択されるプライマーセットを含む、請求項２に記載の方法。
【請求項８】
プローブが配列番号５５の配列を含み、更に、増幅試薬が配列番号２８及び配列番号３２、配列番号２８及び配列番号３３、配列番号３４及び配列番号３５、配列番号４及び配列番号３３、配列番号３７及び配列番号３２並びに配列番号３７及び配列番号３３からなる群より選択されるプライマーセットを含む、請求項２に記載の方法。
【請求項９】
プローブが配列番号５６の配列を含み、更に、増幅試薬が配列番号２８及び配列番号３３、配列番号４及び配列番号３３、並びに配列番号３７及び配列番号３３からなる群より選択されるプライマーセットを含む、請求項２に記載の方法。
【手続補正書】
【提出日】平成25年10月24日(2013.10.24)
【手続補正１】
【補正対象書類名】明細書
【補正対象項目名】０００６
【補正方法】変更
【補正の内容】
【０００６】
本発明は、次の（１）〜（７）より構成される。
（１）セルロース由来糖液を、限外ろ過膜、ナノろ過膜および逆浸透膜からなる群から選択される１以上の分離膜に通じてろ過する工程を含む糖液の製造方法において、５０℃以上の温水でクロスフローろ過することによりろ過後の分離膜を洗浄する工程を含むことを特徴とする、糖液の製造方法。
（２）温水が、ＨＭＦ、フルフラール、クマル酸、フェルラ酸、クマルアミド、フェルラアミド、バニリンからなる群から選択される１以上の化合物を含むことを特徴とする、（１）に記載の糖液の製造方法。
（３）温水が、セルロース由来糖液をナノろ過膜または逆浸透膜に通じて得られたろ液であることを特徴とする、（１）または（２）に記載の糖液の製造方法。
（４）温水が７５〜９０℃の範囲であること特徴とする、（１）〜（３）のいずれかに記載の糖液の製造方法。
（５）セルロース由来糖液が、精密ろ過膜でろ過されたものであることを特徴とする、（１）〜（４）のいずれかに記載の糖液の製造方法。
（６）温水のｐＨが９〜１２の範囲であることを特徴とする、（１）〜（５）のいずれかに記載の糖液の製造方法。
（７）温水の膜面線速度が５〜５０ｃｍ／ｓｅｃであることを特徴とする、（１）〜（６）のいずれかに記載の糖液の製造方法。
【手続補正２】
【補正対象書類名】特許請求の範囲
【補正対象項目名】全文
【補正方法】変更
【補正の内容】
【特許請求の範囲】
【請求項１】
セルロース由来糖液を、限外ろ過膜、ナノろ過膜および逆浸透膜からなる群から選択される１以上の分離膜に通じてろ過する工程を含む糖液の製造方法において、５０℃以上の温水でクロスフローろ過することによりろ過後の分離膜を洗浄する工程を含むことを特徴とする、糖液の製造方法。
【請求項２】
温水がＨＭＦ、フルフラール、クマル酸、フェルラ酸、クマルアミド、フェルラアミド、バニリンからなる群から選択される１以上の化合物を含むことを特徴とする、請求項１に記載の糖液の製造方法。
【請求項３】
温水がセルロース由来糖液をナノろ過膜および／または逆浸透膜に通じて得られたろ液であることを特徴とする、請求項１または２に記載の糖液の製造方法。
【請求項４】
温水が７５〜９０℃の範囲であること特徴とする、請求項１〜３のいずれかに記載の糖液の製造方法。
【請求項５】
セルロース由来糖液が精密ろ過膜でろ過されたものであることを特徴とする、請求項１〜４のいずれかに記載の糖液の製造方法。
【請求項６】
温水のｐＨが９〜１２の範囲であることを特徴とする、請求項１〜５のいずれかに記載の糖液の製造方法。
【請求項７】
温水の膜面線速度が５〜５０ｃｍ／ｓｅｃであることを特徴とする、請求項１〜６のいずれかに記載の糖液の製造方法。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
薬剤での処置に応答して細胞が脂肪酸を酸化するかどうかを同定する工程を含む、薬剤での処置に応答して毒性を予測する方法であって、前記薬剤での処置に応答して前記細胞が脂肪酸を酸化しないと同定された場合、前記薬剤は前記細胞に毒性であると予測され、または前記薬剤での処置に応答して前記細胞が脂肪酸を酸化すると同定された場合、前記薬剤は前記細胞に毒性ではないと予測される、方法。
【請求項２】
前記毒性が心毒性である、請求項１に記載の方法。
【請求項３】
前記細胞が心筋細胞である、請求項１に記載の方法。
【請求項４】
前記薬剤がチロシンキナーゼ阻害剤である、請求項１に記載の方法。
【請求項５】
前記チロシンキナーゼ阻害剤が抗体である、請求項１に記載の方法。
【請求項６】
前記抗体がトラスツズマブである、請求項１に記載の方法。
【請求項７】
ａ）細胞を薬剤と接触させる工程；及び
ｂ）脂肪酸酸化について前記細胞をアッセイする工程
を含む、薬剤での処置に応答して毒性を予測する方法であって、
前記薬剤との接触に応答して前記細胞が脂肪酸を酸化しない場合、前記薬剤は毒性であると予測され、または前記薬剤との接触に応答して前記細胞が脂肪酸を酸化する場合、前記薬剤は毒性ではないと予測される、方法。
【請求項８】
前記毒性が心毒性である、請求項７に記載の方法。
【請求項９】
前記細胞が心筋細胞である、請求項７に記載の方法。
【請求項１０】
前記薬剤がチロシンキナーゼ阻害剤である、請求項７に記載の方法。
【請求項１１】
前記チロシンキナーゼ阻害剤が抗体である、請求項７に記載の方法。
【請求項１２】
前記抗体がトラスツズマブである、請求項７に記載の方法。
【請求項１３】
脂肪酸酸化障害について細胞をアッセイする工程を含む、薬剤での処置に応答して毒性を予測する方法であって、前記細胞が脂肪酸酸化障害を有する場合、前記薬剤は毒性であると予測される、方法。
【請求項１４】
前記毒性が心毒性である、請求項１３に記載の方法。
【請求項１５】
前記細胞が心筋細胞である、請求項１３に記載の方法。
【請求項１６】
前記薬剤がチロシンキナーゼ阻害剤である、請求項１３に記載の方法。
【請求項１７】
前記チロシンキナーゼ阻害剤が抗体である、請求項１３に記載の方法。
【請求項１８】
前記抗体がトラスツズマブである、請求項１３に記載の方法。
【請求項１９】
ａ）薬剤での処置のために選択された被験者から細胞を得る工程；
ｂ）脂肪酸酸化障害について前記細胞をアッセイする工程；及び
ｃ）脂肪酸酸化障害が細胞中に存在するか測定する工程
を含む、薬剤での処置に応答して毒性を予測する方法であって、
脂肪酸酸化障害の存在が、薬剤が毒性であることを予測し、且つ脂肪酸酸化障害の不存在が、薬剤が毒性ではないことを予測する、方法。
【請求項２０】
前記毒性が心毒性である、請求項１９に記載の方法。
【請求項２１】
前記細胞が心筋細胞である、請求項１９に記載の方法。
【請求項２２】
前記薬剤がチロシンキナーゼ阻害剤である、請求項１９に記載の方法。
【請求項２３】
前記チロシンキナーゼ阻害剤が抗体である、請求項１９に記載の方法。
【請求項２４】
前記抗体がトラスツズマブである、請求項１９に記載の方法。
【請求項２５】
薬剤での処置に応答する心毒性の予測方法であって、
−前記薬剤で心筋細胞を処置する工程；
−脂肪酸酸化障害が前記処置された心筋細胞において存在するかどうかを測定する工程
を含み、それによって、前記処置された心筋細胞における脂肪酸酸化障害の存在が、前記薬剤での前記心筋細胞の処置が毒性である可能性があることを予測する、方法。
【請求項２６】
前記薬剤がチロシンキナーゼ阻害剤である、請求項２５に記載の方法。
【請求項２７】
前記チロシンキナーゼ阻害剤が抗体である、請求項２５に記載の方法。
【請求項２８】
前記抗体がトラスツズマブである、請求項２５に記載の方法。
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
遊技媒体を使用して遊技に関する抽選を行い、該抽選を行った後に該抽選の結果に基づいて複数種類の図柄が施された複数のリールを停止させ、停止された該複数のリールの態様に基づいて遊技媒体を付与する遊技を、繰り返し実行可能な遊技台であって、
特定の遊技状態を設定する遊技状態設定手段と、
前記遊技状態設定手段により前記特定の遊技状態が設定されている期間を含む所定の期間において、使用された遊技媒体および付与された遊技媒体に基づく遊技媒体の累計増減数を導出する累計増減数導出手段と、
表示手段と、
前記表示手段に関する制御を実行する表示制御手段と、を備え、
前記累計増減数導出手段は、
前回の遊技までに導出された前記累計増減数が零以上であること、または前回の遊技までに導出された前記累計増減数が零を上回ることにより成立する所定条件を満たす場合には、前回の遊技までの前記累計増減数に加え、今回の遊技において使用された遊技媒体の数、および今回の遊技において付与された遊技媒体の数に基づいて前記累計増減数を導出し、
該所定条件を満たさない場合には、前回の遊技までの前記累計増減数を加えずに、今回の遊技において使用された遊技媒体の数、および今回の遊技において付与された遊技媒体の数に基づいて前記累計増減数を導出するものであり、
前記表示制御手段は、
前記累計増減数を表示させる制御を実行可能に構成され、
前記累計増減数を表示させる制御を実行するにあたり、前記累計増減数が零未満となった場合または前記累計増減数が零以下となった場合には、零を表示させる制御または前記累計増減数を表示させない制御を実行するものであることを特徴とする遊技台。
【手続補正２】
【補正対象書類名】明細書
【補正対象項目名】０００６
【補正方法】変更
【補正の内容】
【０００６】
上記課題を解決するため、本発明の第１の遊技台は、
遊技媒体を使用して遊技に関する抽選を行い、該抽選を行った後に該抽選の結果に基づいて複数種類の図柄が施された複数のリールを停止させ、停止された該複数のリールの態様に基づいて遊技媒体を付与する遊技を、繰り返し実行可能な遊技台であって、
特定の遊技状態を設定する遊技状態設定手段と、
前記遊技状態設定手段により前記特定の遊技状態が設定されている期間を含む所定の期間において、使用された遊技媒体および付与された遊技媒体に基づく遊技媒体の累計増減数を導出する累計増減数導出手段と、
表示手段と、
前記表示手段に関する制御を実行する表示制御手段と、を備え、
前記累計増減数導出手段は、
前回の遊技までに導出された前記累計増減数が零以上であること、または前回の遊技までに導出された前記累計増減数が零を上回ることにより成立する所定条件を満たす場合には、前回の遊技までの前記累計増減数に加え、今回の遊技において使用された遊技媒体の数、および今回の遊技において付与された遊技媒体の数に基づいて前記累計増減数を導出し、
該所定条件を満たさない場合には、前回の遊技までの前記累計増減数を加えずに、今回の遊技において使用された遊技媒体の数、および今回の遊技において付与された遊技媒体の数に基づいて前記累計増減数を導出するものであり、
前記表示制御手段は、
前記累計増減数を表示させる制御を実行可能に構成され、
前記累計増減数を表示させる制御を実行するにあたり、前記累計増減数が零未満となった場合または前記累計増減数が零以下となった場合には、零を表示させる制御または前記累計増減数を表示させない制御を実行するものであることを特徴とする。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
遊技媒体を使用して遊技に関する抽選を行い、該抽選を行った後に該抽選の結果に基づいて複数種類の図柄が施された複数のリールを停止させ、停止された該複数のリールの停止態様に基づいて遊技媒体を付与する遊技を、繰り返し実行可能な遊技台において、
第一の遊技状態、および該第一の遊技状態よりも有利な第二の遊技状態を少なくとも含む複数種類の遊技状態から一の遊技状態を設定する遊技状態設定手段と、
前記第二の遊技状態が設定されている期間と、該第二の遊技状態が終了してから所定の回数の遊技が行われるまでの期間であって前記第一の遊技状態が設定されている期間とで構成される所定の期間において遊技者が獲得した遊技媒体の数を示す累計増減数を導出可能に構成された累計増減数導出手段と、
表示手段と、
前記表示手段に関する制御を実行する表示制御手段と、を備え、
前記累計増減数導出手段は、
前記所定の期間の一の遊技における前記累計増減数を、今回の遊技において使用された遊技媒体の数、今回の遊技において付与された遊技媒体の数、および前回の遊技において導出された前記累計増減数を用いて導出し、
前記第二の遊技状態が終了してから前記所定の回数の遊技が行われる以前に新たに前記第二の遊技状態が設定された直後の遊技において、新たに設定された該第二の遊技状態が設定される前までの前記累計増減数が零を上回り続けている状態または零以上となり続けている状態であった場合には、新たに設定された該第二の遊技状態が設定された直後の遊技における前記累計増減数を、今回の遊技において使用された遊技媒体の数、今回の遊技において付与された遊技媒体の数、および前回の遊技において導出された前記累計増減数を用いて導出することで、前回の前記第二の遊技状態が設定されていた期間から継続して前記累計増減数を導出することができる一方、他の場合には、新たに設定された該第二の遊技状態が設定された直後の遊技における前記累計増減数を、今回の遊技において使用された遊技媒体の数、および今回の遊技において付与された遊技媒体の数を用いて導出することで、新たに前記累計増減数を導出することができ、
前記第二の遊技状態が設定されている期間の一の遊技であって該第二の遊技状態が設定された直後の遊技とは異なる遊技において、今回の遊技における前記累計増減数を、今回の遊技において使用された遊技媒体の数、今回の遊技において付与された遊技媒体の数、および前回の遊技において導出された前記累計増減数を用いて導出することで、前記第二の遊技状態が設定されている期間において遊技者が獲得した遊技媒体の数を該第二の遊技状態が設定された直後の遊技において導出された前記累計増減数に対して正確に反映させることができるものであり、
前記表示制御手段は、
前記累計増減数を表示させる制御を実行可能に構成され、
前記累計増減数を表示させる制御を実行するにあたり、前記累計増減数が零未満となった場合または前記累計増減数が零以下となった場合には、零を表示する制御または前記累計増減数を表示しない制御を行うものであることを特徴とする遊技台。
【手続補正２】
【補正対象書類名】明細書
【補正対象項目名】０００６
【補正方法】変更
【補正の内容】
【０００６】
上記課題を解決するため、本発明の第１の遊技台は、
遊技媒体を使用して遊技に関する抽選を行い、該抽選を行った後に該抽選の結果に基づいて複数種類の図柄が施された複数のリールを停止させ、停止された該複数のリールの停止態様に基づいて遊技媒体を付与する遊技を、繰り返し実行可能な遊技台において、
第一の遊技状態、および該第一の遊技状態よりも有利な第二の遊技状態を少なくとも含む複数種類の遊技状態から一の遊技状態を設定する遊技状態設定手段と、
前記第二の遊技状態が設定されている期間と、該第二の遊技状態が終了してから所定の回数の遊技が行われるまでの期間であって前記第一の遊技状態が設定されている期間とで構成される所定の期間において遊技者が獲得した遊技媒体の数を示す累計増減数を導出可能に構成された累計増減数導出手段と、
表示手段と、
前記表示手段に関する制御を実行する表示制御手段と、を備え、
前記累計増減数導出手段は、
前記所定の期間の一の遊技における前記累計増減数を、今回の遊技において使用された遊技媒体の数、今回の遊技において付与された遊技媒体の数、および前回の遊技において導出された前記累計増減数を用いて導出し、
前記第二の遊技状態が終了してから前記所定の回数の遊技が行われる以前に新たに前記第二の遊技状態が設定された直後の遊技において、新たに設定された該第二の遊技状態が設定される前までの前記累計増減数が零を上回り続けている状態または零以上となり続けている状態であった場合には、新たに設定された該第二の遊技状態が設定された直後の遊技における前記累計増減数を、今回の遊技において使用された遊技媒体の数、今回の遊技において付与された遊技媒体の数、および前回の遊技において導出された前記累計増減数を用いて導出することで、前回の前記第二の遊技状態が設定されていた期間から継続して前記累計増減数を導出することができる一方、他の場合には、新たに設定された該第二の遊技状態が設定された直後の遊技における前記累計増減数を、今回の遊技において使用された遊技媒体の数、および今回の遊技において付与された遊技媒体の数を用いて導出することで、新たに前記累計増減数を導出することができ、
前記第二の遊技状態が設定されている期間の一の遊技であって該第二の遊技状態が設定された直後の遊技とは異なる遊技において、今回の遊技における前記累計増減数を、今回の遊技において使用された遊技媒体の数、今回の遊技において付与された遊技媒体の数、および前回の遊技において導出された前記累計増減数を用いて導出することで、前記第二の遊技状態が設定されている期間において遊技者が獲得した遊技媒体の数を該第二の遊技状態が設定された直後の遊技において導出された前記累計増減数に対して正確に反映させることができるものであり、
前記表示制御手段は、
前記累計増減数を表示させる制御を実行可能に構成され、
前記累計増減数を表示させる制御を実行するにあたり、前記累計増減数が零未満となった場合または前記累計増減数が零以下となった場合には、零を表示する制御または前記累計増減数を表示しない制御を行うものであることを特徴とする。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
前記リールを回転させるためのスタートスイッチと、
各前記リールごとに設けられ、対応する前記リールの回転を停止させるときに遊技者が操作するストップスイッチと、
遊技の進行を制御するメイン制御手段と、
演出の出力を制御するサブ制御手段と
を備え、
前記メイン制御手段は、
前記ストップスイッチの操作後に遊技の進行を遅延させるフリーズを制御するフリーズ制御手段と、
特別役及び特定役を含む役の抽選を行う役抽選手段と、
前記ストップスイッチが操作されたときに、前記役抽選手段による役の抽選結果に基づいて前記リールを停止制御するリール制御手段と、
前記役抽選手段で特別役に当選したときに、当選した特別役が入賞するまで、特別役の当選を次遊技に持ち越す特別役当選持越し手段と
を備え、
前記特別役当選持越し手段により特別役の当選を持ち越している遊技において、前記役抽選手段で特定役に当選する場合を有し、
前記フリーズ制御手段は、前記特別役当選持越し手段により特別役の当選を持ち越している遊技において、前記役抽選手段で特定役に当選し、かつフリーズの実行条件を満たすように前記ストップスイッチが操作されたときは、フリーズを実行し、
前記サブ制御手段は、
遊技モードとして、通常モードと、前記通常モードよりも遊技者にとって有利となる特別モードとを有し、
前記特別モードを実行するときは、前記役抽選手段で特定役に当選した遊技において、フリーズの実行条件を満たす前記ストップスイッチの操作情報を報知する
ことを特徴とするスロットマシン。
【請求項２】
請求項１に記載のスロットマシンにおいて、
特定役の当選は、一のリプレイ、及び他の一のリプレイの当選を含む重複当選であり、
前記リール制御手段は、前記役抽選手段で前記重複当選となった遊技において、特定の押し順で前記ストップスイッチが操作されたときは、前記一のリプレイに対応する図柄の組合せを有効ラインに停止させ、他の特定の押し順で前記ストップスイッチが操作されたときは、前記ストップスイッチの操作タイミングに応じて前記他の一のリプレイに対応する図柄の組合せを有効ラインに停止可能に制御し、
前記他の特定の押し順は、フリーズの実行条件を満たす押し順である
ことを特徴とするスロットマシン。
【請求項３】
請求項１又は請求項２に記載のスロットマシンにおいて、
前記フリーズ制御手段は、特定のフリーズ実行モードにおいて、前記役抽選手段で特定役に当選し、かつフリーズの実行条件を満たすように前記ストップスイッチが操作されたときは、すべての前記ストップスイッチが操作された後にフリーズを実行する
ことを特徴とするスロットマシン。
【手続補正２】
【補正対象書類名】明細書
【補正対象項目名】０００９
【補正方法】変更
【補正の内容】
【０００９】
本発明は、以下の解決手段によって、上述の課題を解決する。なお、かっこ書きにて、対応する実施形態を示す。
請求項１の発明は、
複数種類の図柄を表示した複数のリール（３１）と、
前記リールを回転させるためのスタートスイッチ（４１）と、
各前記リールごとに設けられ、対応する前記リールの回転を停止させるときに遊技者が操作するストップスイッチ（４２）と、
遊技の進行を制御するメイン制御手段（５０）と、
演出の出力を制御するサブ制御手段（８０）と
を備え、
前記メイン制御手段は、
前記ストップスイッチの操作後に遊技の進行を遅延させるフリーズを制御するフリーズ制（７５）と、
特別役（ＢＢ又はＲＢ）及び特定役（小役４Ａ、４Ｂ、４Ｃ）を含む役の抽選を行う役抽選手段（６１）と、
前記ストップスイッチが操作されたときに、前記役抽選手段による役の抽選結果に基づいて前記リールを停止制御するリール制御手段（６４）と、
前記役抽選手段で特別役に当選したときに、当選した特別役が入賞するまで、特別役の当選を次遊技に持ち越す特別役当選持越し手段（当選フラグ制御手段６３）と
を備え、
前記特別役当選持越し手段により特別役の当選を持ち越している遊技において、前記役抽選手段で特定役に当選する場合を有し、
前記フリーズ制御手段は、前記特別役当選持越し手段により特別役の当選を持ち越している遊技において、前記役抽選手段で特定役に当選し、かつフリーズの実行条件を満たすように前記ストップスイッチが操作されたときは、フリーズを実行し、
前記サブ制御手段は、
遊技モードとして、通常モードと、前記通常モードよりも遊技者にとって有利となる特別モードとを有し、
前記特別モードを実行するときは、前記役抽選手段で特定役に当選した遊技において、フリーズの実行条件を満たす前記ストップスイッチの操作情報を報知する
ことを特徴とする。
【手続補正３】
【補正対象書類名】明細書
【補正対象項目名】００１０
【補正方法】変更
【補正の内容】
【００１０】
請求項２の発明は、請求項１に記載のスロットマシンにおいて、
特定役の当選（たとえば、リプレイＡ＋Ｅ＋Ｇ＋Ｉ）は、一のリプレイ（リプレイＡ）、及び他の一のリプレイ（リプレイＥ）の当選を含む重複当選であり、
前記リール制御手段は、前記役抽選手段で前記重複当選となった遊技において、特定の押し順（左又は中第一停止）で前記ストップスイッチが操作されたときは、前記一のリプレイに対応する図柄の組合せ（「ＲＰ」−「ＲＰ」−「ＲＰ」）を有効ラインに停止させ、他の特定の押し順（右第一停止）で前記ストップスイッチが操作されたときは、前記ストップスイッチの操作タイミングに応じて前記他の一のリプレイに対応する図柄の組合せ（「７」−「７」−「７」）を有効ラインに停止可能に制御し、
前記他の特定の押し順は、フリーズの実行条件を満たす押し順である
ことを特徴とする。
請求項３の発明は、請求項１又は請求項２に記載のスロットマシンにおいて、
前記フリーズ制御手段は、特定のフリーズ実行モードにおいて、前記役抽選手段で特定役に当選し、かつフリーズの実行条件を満たすように前記ストップスイッチが操作されたときは、すべての前記ストップスイッチが操作された後（リプレイＥが入賞したとき）にフリーズを実行する
ことを特徴とする。
【手続補正４】
【補正対象書類名】明細書
【補正対象項目名】００１１
【補正方法】変更
【補正の内容】
【００１１】
（作用）
本発明においては、特別役の当選を持ち越している遊技中に特定役に当選し、フリーズの実行条件を満たすようにストップスイッチが操作されたときは、フリーズが実行される。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明によれば、特別役の当選を持ち越している遊技中において、役の抽選結果（当選役の種類）とストップスイッチの操作（たとえば押し順）とに応じてフリーズを発生させることができる。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
遊技を行うときに遊技者が操作する操作スイッチと、
前記操作スイッチの受付け処理を遅延させるフリーズを制御するフリーズ制御手段と、
特別役を含む役の抽選を行う役抽選手段と、
前記役抽選手段で特別役に当選し、特別役に対応する図柄の組合せが有効ラインに停止して特別役が入賞したときは、通常遊技から特別遊技に移行するように制御する特別遊技制御手段と、
前記役抽選手段で特別役に当選したときに、当選した特別役が入賞するまで、特別役の当選を次遊技に持ち越す特別役当選持越し手段と、
フリーズの実行頻度が異なる複数種類のフリーズ実行モードを有し、これらのフリーズ実行モード間の移行を制御するモード移行制御手段と
を備え、
前記モード移行制御手段は、前記特別役当選持越し手段により特別役の当選を持ち越している遊技において、所定の条件を満たしたときにフリーズ実行モードを移行させるように制御し、
前記フリーズ制御手段は、前記特別役当選持越し手段により特別役の当選を持ち越している遊技中に、フリーズ実行モードに応じた実行頻度でフリーズを実行する
ことを特徴とするスロットマシン。
【請求項２】
請求項１に記載のスロットマシンにおいて、
遊技の進行を制御するメイン制御手段と、
演出の出力を制御するサブ制御手段と
を備え、
前記メイン制御手段は、前記モード移行制御手段を有し、
前記操作スイッチの１つとして、リールを停止させるときに操作するストップスイッチを有し、
前記サブ制御手段は、所定の演出状態であることを条件に、フリーズ実行モードを移行させる条件を満たすための前記ストップスイッチの操作情報を報知し、
前記モード移行制御手段は、フリーズ実行モードの移行条件を満たすように前記ストップスイッチが操作されたときは、フリーズ実行モードを移行させる
ことを特徴とするスロットマシン。
【請求項３】
請求項１又は請求項２に記載のスロットマシンにおいて、
前記フリーズ制御手段は、特定のフリーズ実行モードにおいて、前記役抽選手段で特定のリプレイに当選し、かつフリーズの実行条件を満たすように前記ストップスイッチが操作されたときは、すべての前記ストップスイッチが操作された後にフリーズを実行する
ことを特徴とするスロットマシン。
【手続補正２】
【補正対象書類名】明細書
【補正対象項目名】０００７
【補正方法】変更
【補正の内容】
【０００７】
本発明は、以下の解決手段によって、上述の課題を解決する。なお、かっこ書きにて、対応する実施形態を示す。
請求項１の発明は、
遊技を行うときに遊技者が操作する操作スイッチ（ベットスイッチ４０、スタートスイッチ４１、又はストップスイッチ４２）と、
前記操作スイッチの受付け処理を遅延させるフリーズを制御するフリーズ制御手段（７５）と、
特別役（ＢＢ又はＲＢ）を含む役の抽選を行う役抽選手段（６１）と、
前記役抽選手段で特別役に当選し、特別役に対応する図柄の組合せが有効ラインに停止して特別役が入賞したときは、通常遊技から特別遊技に移行するように制御する特別遊技制御手段（６８）と、
前記役抽選手段で特別役に当選したときに、当選した特別役が入賞するまで、特別役の当選を次遊技に持ち越す（内部中遊技を実行する）特別役当選持越し手段（当選フラグ制御手段６３）と、
フリーズの実行頻度が異なる複数種類のフリーズ実行モード（フリーズ実行モードＡ、Ｂ、Ｃ）を有し、これらのフリーズ実行モード間の移行を制御するモード移行制御手段（７５ａ）と
を備え、
前記モード移行制御手段は、前記特別役当選持越し手段により特別役の当選を持ち越している遊技において、所定の条件を満たしたとき（役抽選手段で所定の役に当選したとき）にフリーズ実行モードを移行させるように制御し、
前記フリーズ制御手段は、前記特別役当選持越し手段により特別役の当選を持ち越している遊技中に、フリーズ実行モードに応じた実行頻度でフリーズを実行する
ことを特徴とする。
【手続補正３】
【補正対象書類名】明細書
【補正対象項目名】０００８
【補正方法】変更
【補正の内容】
【０００８】
請求項２の発明は、請求項１に記載のスロットマシンにおいて、
遊技の進行を制御するメイン制御手段（５０）と、
演出の出力を制御するサブ制御手段（８０）と
を備え、
前記メイン制御手段は、前記モード移行制御手段を有し、
前記操作スイッチの１つとして、リールを停止させるときに操作するストップスイッチ（４２）を有し、
前記サブ制御手段は、所定の演出状態（非ＡＲＴ遊技中）であることを条件に、フリーズ実行モードを移行させる条件を満たすための前記ストップスイッチの操作情報を報知し、
前記モード移行制御手段は、フリーズ実行モードの移行条件を満たすように前記ストップスイッチが操作されたときは、フリーズ実行モードを移行させる（フリーズ低確状態からフリーズ高確状態に移行させる）
ことを特徴とする。
請求項３の発明は、請求項１又は請求項２に記載のスロットマシンにおいて、
前記フリーズ制御手段は、特定のフリーズ実行モード（フリーズ低確状態）において、前記役抽選手段で特定のリプレイ（リプレイＥ、Ｆ）に当選し、かつフリーズの実行条件を満たすように前記ストップスイッチが操作されたときは、すべての前記ストップスイッチが操作された後にフリーズ（ＡＲＴ遊技の開始時のフリーズ）を実行する
ことを特徴とする。
【手続補正４】
【補正対象書類名】明細書
【補正対象項目名】０００９
【補正方法】変更
【補正の内容】
【０００９】
（作用）
本発明においては、フリーズの実行頻度が異なる複数種類のフリーズ実行モードを有する。また、特別役の当選を持ち越している遊技では、所定の条件を満たすと、フリーズ実行モードが移行する。そして、フリーズ実行モードに応じた実行頻度でフリーズが実行される。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、特別役の当選を持ち越している遊技中に、フリーズの実行頻度を変化させることができる。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
生体に装着する複数の電極パッドと、当該複数の電極パッドに固定された複数のリード線とを有する、全体が使い捨て可能な防水性生体電極であって、
前記複数の電極パッドの各々が、
粘着性を有する装着面を有し、略中央に穴を有する防水性基材と、
前記複数のリード線のうち対応する１つを、その先端に設けられた検出電極が前記防水性基材の穴から露出するよう、前記穴を覆いながら前記基材の前記装着面の裏面に固定する、防水性シール部材と、
前記検出電極と生体表面との電気的な接続を行うための導電性ゲルとを有し、
前記複数のリード線が一体形成されるとともに、
前記防水性シール部材が、前記リード線の側面からの水の進入を防止するために、前記リード線の断面形状に対応した切り欠きを有することを特徴とする防水性生体電極。
【請求項２】
生体に装着する複数の電極パッドと、当該複数の電極パッドに固定された複数のリード線とを有する、全体が使い捨て可能な防水性生体電極であって、
前記複数の電極パッドの各々が、
柔軟なフィルム状素材から構成され、粘着性を有する装着面と、略中央に設けられた穴とを有する防水性基材と、
前記複数のリード線のうち対応する１つを、その先端に設けられた検出電極が前記防水性基材の穴から露出するよう、前記穴を覆いながら前記基材の前記装着面の裏面に固定する、防水性シール部材と、
前記検出電極と生体表面との電気的な接続を行うための導電性ゲルとを有し、
前記防水性生体電極がさらに、
前記生体電極の未使用時に、前記電極パッドの前記装着面を保護するための第１のセパレータと、
前記防水性基材の前記装着面の外縁部の少なくとも一部に設けられた第２のセパレータであって、前記電極パッドが前記第１のセパレータから剥がされた際に、前記防水性基材の形態を維持したまま支持可能な第２のセパレータと、を有することを特徴とする防水性生体電極。
【請求項３】
前記第２のセパレータが円弧形状を有し、前記防水性基材を外縁部で支持することを特徴とする請求項２記載の防水性生体電極。
【請求項４】
前記防水性シール部材が、前記リード線の側面からの水の進入を防止するために、前記リード線の断面形状に対応した切り欠きを有することを特徴とする請求項２又は請求項３記載の防水性生体電極。
【請求項５】
前記リード線と前記検出電極とが一体の電極パターンによって形成され、前記リード線の先端部分が前記検出電極として機能することを特徴とする請求項１乃至請求項４のいずれか１項に記載の防水性生体電極。
【請求項６】
生体に装着する複数の電極パッドと、当該複数の電極パッドに固定された複数のリード線とを有する、全体が使い捨て可能な防水性生体電極であって、
前記複数の電極パッドの各々が、
粘着性を有する装着面を有し、略中央に穴を有する防水性基材と、
前記複数のリード線のうち対応する１つを、その先端に設けられた検出電極が前記防水性基材の穴から露出するよう、前記穴を覆いながら前記基材の前記装着面の裏面に固定する、防水性シール部材と、
前記検出電極と生体表面との電気的な接続を行うための導電性ゲルとを有し、
前記複数のリード線が一体形成されるとともに、
前記リード線と前記検出電極とが一体の電極パターンによって形成され、前記リード線の先端部分が前記検出電極として機能することを特徴とする防水性生体電極。
【請求項７】
前記複数のリード線が、基材フィルムと、当該基材フィルム上に設けられた前記電極パターンと、前記電極パターンのうち、少なくとも前記検出電極として機能する部分を除いた部分を覆う絶縁体層を有する平板形状を有することを特徴とする請求項５または請求項６に記載の防水性生体電極。
【請求項８】
前記複数のリード線の、前記複数の電極パッドと接続されない端部が平板状のコネクタとして形成されることを特徴とする請求項１乃至請求項７のいずれか１項に記載の防水性生体電極。
【請求項９】
前記平板状のコネクタの側面に、前記平板状のコネクタを受け入れる装着部が有する凸部と嵌合するくびれが設けられることを特徴とする請求項７記載の防水性生体電極。
【請求項１０】
前記防水性基材及び前記防水性シール部材の少なくとも前記防水性基材が、厚さ２０〜７０μｍの透湿防水フィルムからなることを特徴とする請求項１乃至請求項９のいずれか１項に記載の防水性生体電極。
【請求項１１】
請求項１乃至請求項１０のいずれか１項に記載の防水性生体電極のリード線を接続するためのコネクタを有することを特徴とする生体信号取得装置。
【請求項１２】
請求項１乃至請求項１０のいずれか１項に記載の防水性生体電極のリード線を接続するための装着部と、生体信号取得装置に接続するための装置側コネクタとを有する、接続用ケーブル。
【請求項１３】
請求項１２記載の接続用ケーブルの前記装置側コネクタに対応するコネクタを有することを特徴とする生体信号取得装置。
【手続補正２】
【補正対象書類名】明細書
【補正対象項目名】００１３
【補正方法】変更
【補正の内容】
【００１３】
すなわち、本発明の要旨は、生体に装着する複数の電極パッドと、当該複数の電極パッドに固定された複数のリード線とを有する、全体が使い捨て可能な防水性生体電極であって、複数の電極パッドの各々が、粘着性を有する装着面を有し、略中央に穴を有する防水性基材と、複数のリード線のうち対応する１つを、その先端に設けられた検出電極が防水性基材の穴から露出するよう、穴を覆いながら基材の装着面の裏面に固定する、防水性シール部材と、検出電極と生体表面との電気的な接続を行うための導電性ゲルとを有し、複数のリード線が一体形成されるとともに、防水性シール部材が、リード線の側面からの水の進入を防止するために、リード線の断面形状に対応した切り欠きを有することを特徴とする防水性生体電極に存する。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
上レールに移動可能に吊設された移動パネルを該上レールに沿って配列することで空間を仕切ることが出来る移動間仕切り装置において、上レールは上フレームの下側に形成されると共に、該上フレームはその両先端が垂直に起立する支柱に連結して枠体を構成し、該上フレームと天井の間には空間を形成し、そして、移動パネルの上端には上レールに載って移動するランナーを取付けたことを特徴とする移動間仕切り装置。
【請求項２】
上記移動パネルの下端には床面に圧接固定する圧接手段を備えた請求項１記載の移動間仕切り装置。
【手続補正書】
【提出日】平成25年1月9日(2013.1.9)
【手続補正１】
【補正対象書類名】明細書
【補正対象項目名】００４０
【補正方法】変更
【補正の内容】
【００４０】
［引張りせん断接着強さ］
熱伝導性シリコーンゴム組成物の引張りせん断接着強さをＪＩＳ  Ｋ  ６８５０：1999「接着剤−剛性被着材の引張りせん断接着強さ試験方法」で規定の方法に従い測定した。
すなわち、１００ｍｍ×２０ｍｍ×１.６ｍｍのアルミニウム製被着材を用いて、シリコーンゴム組成物からなる接着層が１０ｍｍ×２０ｍｍ×１ｍｍとなるように調整し、これを１５０℃で１時間加熱して前記組成物を硬化してなる試験片を作製した。この試験片の引張りせん断接着強さを引張り速度５０ｍｍ／分で測定した。また、その際の、接着材の破壊の様式をＪＩＳ  Ｋ  ６８６６：1999「接着剤−主要破壊様式の名称」に従い、観察した。
また、この試験片を８５℃／８５％ＲＨの雰囲気下で２５０時間静置した後、上記と同様に引張りせん断接着強さの測定、および破壊の様式を観察した。
【手続補正２】
【補正対象書類名】明細書
【補正対象項目名】００４２
【補正方法】変更
【補正の内容】
【００４２】
［滲み出し量（オイルブリード量）］
熱伝導性シリコーンゴム組成物の硬化途上のオイル成分の滲み出し（オイルブリード）を図１に示した試験体で評価した。すなわち、すりガラス板Ａ上に熱伝導性シリコーンゴム組成物を０.１ｃｃ載せ、他のすりガラス板Ｃで該組成物の厚さが１ｍｍとなるように挟みこみ、試験体を作製した。この試験体を室温で２時間で静置した後、１５０℃の熱風循環式オーブンで１時間加熱することにより、該組成物を硬化させた。得られたシリコーンゴムＢの周囲からガラス板上に滲みだしたオイル分Ｄの滲みだし幅ａを測定し、その面積を求めた。
【手続補正３】
【補正対象書類名】明細書
【補正対象項目名】００５７
【補正方法】変更
【補正の内容】
【００５７】
Ａ  すりガラス
Ｂ  シリコーンゴム
Ｃ  すりガラス
Ｄ  オイル分
ａ  オイルの滲み出し幅
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
電磁波を空間的に複数のビームに分割する光源格子であって、
複数の開口が設けられた第１の基板と、複数の開口が設けられた第２の基板とを備え、
前記第１の基板と前記第２の基板とは積層しており、
前記第１の基板と前記第２の基板との重なりにおいて、前記第１の基板に設けられた開口と前記第２の基板に設けられた開口とによって形成された開口の配列を有し、
前記第１の基板と前記第２の基板との面方向における相対位置を変えることによって、前記配列の周期を第１の周期から該第１の周期とは異なる第２の周期に変更することが可能に構成されていることを特徴とする光源格子。
【請求項２】
前記第１の基板と前記第２の基板とを基準点を中心として相対的に面方向に回転させることで、前記周期を変更することが可能に構成されていることを特徴とする請求項１に記載の光源格子。
【請求項３】
前記第１の基板は、該第１の基板における基準１となる１つの開口を原点に前記第１の周期の正方配列の座標を（ｘ１、ｙ１）とし、前記第２の基板における前記第２の周期の正方配列の座標を（ｘ２、ｙ２）とするとき、
（ｘ１、ｙ１）＝（ａ×ｎ、ａ×ｍ）で表される点（ｘ１、ｙ１）と、（ｘ２、ｙ２）＝（ｂ×ｎ、ｂ×ｍ）で表される点（ｘ２、ｙ２）とを結ぶ、（ｎ、ｍ）番目の開口を有し、
前記第２の基板は、該第２の基板における前記第２の周期の正方配列の座標を（ｘ３、ｙ３）とするとき、
前記（ｘ１、ｙ１）＝（ａ×ｎ、ａ×ｍ）で表される点（ｘ１、ｙ１）と、（ｘ３、ｙ３）＝（Ｒｎｍ×ｃｏｓ（θ＋θｎｍ）、Ｒｎｍ×ｓｉｎ（θ＋θｎｍ））で表される点（ｘ３、ｙ３）とを結ぶ、
前記第１の基板における（ｎ、ｍ）番目の開口に対応する開口を有することを特徴とする請求項１または請求項２に記載の光源格子。
但し、
ａ：前記第１の周期
ｂ：前記第２の周期
θ：前記回転角度
ｎ、ｍ：整数
Ｒｎｍ：＝ｂ×（ｎ×ｎ＋ｍ×ｍ）＾（１／２）
θｎｍ：＝ａｒｃｔａｎ（ｍ／ｎ）
【請求項４】
前記第１の基板と前記第２の基板とを相対的に面方向に並進させることで、前記周期を変更することが可能に構成されていることを特徴とする請求項１に記載の光源格子。
【請求項５】
前記第１の基板は、該第１の基板における基準１となる１つの開口を原点に前記第１の周期の正方配列の座標を（ｘ１、ｙ１）とし、前記第２の基板における前記第２の周期の正方配列の座標（ｘ２、ｙ２）とするとき、
（ｘ１、ｙ１）＝（ａ×ｎ、ａ×ｍ）で表される点（ｘ１、ｙ１）と、（ｘ２、ｙ２）＝（ｂ×ｎ＋ｄ、ｂ×ｍ）で表される点（ｘ２、ｙ２）とを結ぶ、（ｎ、ｍ）番目の開口を有し、
前記第２の基板は、該第２の基板における前記第２の周期の正方配列の座標を（ｘ３、ｙ３）とするとき、
前記（ｘ１、ｙ１）＝（ａ×ｎ、ａ×ｍ）で表される点（ｘ１、ｙ１）と、（ｘ３、ｙ３）＝（ｂ×ｎ、ｂ×ｍ＋ｄ）で表される点（ｘ３、ｙ３）とを結ぶ、（ｎ、ｍ）番目の開口を有することを特徴とする請求項１または請求項４に記載の光源格子。
但し、
ａ：前記第１の周期
ｂ：前記第２の周期
ｎ、ｍ：整数、
ｄ：前記並進方向の移動距離
【請求項６】
請求項１から５のいずれか１項に記載の光源格子と、前記光源格子からの電磁波が入射する位相格子と、前記位相格子からの電磁波が入射する振幅格子と、前記振幅格子からの電磁波の強度分布を撮像する撮像素子と、を備えることを特徴とする位相コントラスト像の撮像装置。
【請求項７】
前記電磁波はＸ線であることを特徴とする請求項６に記載の撮像装置。
【請求項８】
請求項７に記載の撮像装置を有することを特徴とするＸ線コンピューター断層撮影システム。
【手続補正２】
【補正対象書類名】明細書
【補正対象項目名】０００６
【補正方法】変更
【補正の内容】
【０００６】
本発明は、つぎのように構成した光源格子、該光源格子を備えたＸ線位相コントラスト像の撮像装置、Ｘ線コンピューター断層撮影システムを提供するものである。
本発明の光源格子は、電磁波を空間的に複数のビームに分割する光源格子であって、
複数の開口が設けられた第１の基板と、複数の開口が設けられた第２の基板とを備え、
前記第１の基板と前記第２の基板とは積層しており、
前記第１の基板と前記第２の基板との重なりにおいて、前記第１の基板に設けられた開口と前記第２の基板に設けられた開口とによって形成された開口の配列を有し、
前記第１の基板と前記第２の基板との面方向における相対位置を変えることによって、前記配列の周期を第１の周期から該第１の周期とは異なる第２の周期に変更することが可能に構成されていることを特徴とする。
また、本発明のＸ線位相コントラスト像の撮像装置は、上記した光源格子と、前記光源格子からの電磁波が入射する位相格子と、前記位相格子からの電磁波が入射する振幅格子と、前記振幅格子からの電磁波の強度分布を撮像する撮像素子と、を備えることを特徴とする。
また、本発明のＸ線コンピューター断層撮影システムは、上記した撮像装置を有することを特徴とする。